(57)【特許請求の範囲】
【請求項１】
ヨーク上端エッジに揺動可能にヒンジ支持されたＬ字形接極子と、
コイルボビン上部のプラスチック絶縁体上に支持され、前記Ｌ字形接極子の折曲部を前記ヨーク上端の外側エッジに圧接し、かつ衝撃が加わった際生ずる前記接極子の飛出し力を制動する板ばねとを有する電磁リレーにおいて、
前記板ばねは、前記接極子の折曲部表面を前記板ばねの中間部で支持すると共に、前記折曲部表面から接極子へのカード取付け側に向かって離間した接極子表面の個所において前記板ばねの自由端で前記接極子を支持することを特徴とする電磁リレー。
【請求項２】
前記板ばねの接極子の折曲部から離間した表面との当接個所が点状、線状又は面状であることを特徴とする請求項１に記載の電磁リレー。
【請求項３】
衝撃力が作用したとき前記板ばねの運動を制止する構造部がケースに設けられていることを特徴とする請求項１又は２に記載の電磁リレー。
【発明の詳細な説明】
【０００１】
【発明の属する技術分野】
本発明は、Ｌ字形接極子の折曲部がヨーク上端部に揺動可能にヒンジ支持された電磁リレーに関する。
【０００２】
【従来の技術】
従来のこの種の電磁リレーは、図３に示すように構成されている。すなわちプラスチックベースおよび有利にはプラスチックベース１と一体に成形されたコイルボビン２の中心孔に鉄心３が装着されており、鉄心３の下端部がＬ字形ヨーク４の短かな脚部と連結されており、鉄心がコイルの励磁により磁化された場合、鉄心上端に吸着されるほぼＬ字形の接極子５がヨーク４の上端部に揺動可能にヒンジ支持されている。
【０００３】
６はコイルで、このコイルの端子がプラスチックベース１に支持されている。８はカードで、接極子５と、可動接点９を有する可動接片１０とを連結している。１１は固定接点１２を有する固定接片であり、１３及び１４はそれぞれ可動接片および固定接片の端子でプラスチックペース１に固定されている。１５は接極子をヨーク上端エッジ部に圧接支持しかつ接極子による接点閉成運動の際の接極子の運動を制動する板ばねである。
【０００４】
上述の構成の電磁リレーにおいて、コイル６に励磁電流を流した場合、鉄心３の上端面から離れていた接極子５がヨーク４の上端エッジ部を中心に回動し、カード８を介して可動接片１０を押圧して可動接点９が固定接片１１上の固定接点に押圧接触される。
【０００５】
【発明が解決しようとする課題】
上述の従来の電磁リレーにおいて落下等の大きな衝撃力が加わった際、板ばね１５の接極子をヨーク上端の外側エッジへの圧接する力より接極子の外方への飛出し力が大となり、板ばねが変形し、ヨーク上端の外側エッジでの支持が不良となり、電磁リレーの特性に異常を来すことがわかった。本発明の課題は、落下等の大きな衝撃が加わった時、接極子が飛び出すこともなく特性の異常が生じないようにした電磁リレーを提供することである。
【０００６】
【課題を解決するための手段】
上記課題は本発明により、
ヨーク上端エッジに揺動可能にヒンジ支持されたＬ字形接極子と、
コイルボビン上部のプラスチック絶縁体上に支持され、前記Ｌ字形接極子の折曲部を前記ヨーク上端の外側エッジに圧接し、かつ衝撃が加わった際生ずる前記接極子の飛出し力を制動する板ばねとを有する電磁リレーにおいて、
前記板ばねは、前記接極子の折曲部表面を前記板ばねの中間部で支持すると共に、前記折曲部表面から接極子へのカード取付け側に向かって離間した接極子表面の個所において前記板ばねの自由端で前記接極子を支持することにより解決される。
【０００７】
上述の板ばねの、接極子を折曲部から、接極子へのカード取付け側に向かって離間した個所での圧接支持する際、圧接支持個所は、板ばねが面接触となるように支持するようにすることも、線接触支持または点接触支持にすることもできる。
【０００８】
また補助的に板ばねの運動を制止する構造をケースに設けると、一層接極子をヨーク上端の外側エッジに安定に圧接支持できる。
【０００９】
【発明の実施の形態】
次に本発明を実施の形態に基づき図１および図２を用いて詳細に説明する。なお図１および図２において、図３で説明したのと同様な部分には同一の参照番号を付けて説明する。
【００１０】
図１において、図３の従来の電磁リレーと異なっているのは板ばねの構造である。この場合、電磁リレーの非作動時において既に板ばね１５が、Ｌ字形接極子５をヨーク４の上端エッジに接極子の折曲部表面を、圧接しているほかに、接極子の折曲部と接極子へのカード８の取付け方向に離間した個所１６で接極子に当接している点である。図１では、板ばね１５は線状に接触しているが、当接部を面接触となるよう、板ばね先端を平坦に形成することもできる。
【００１１】
本願発明では、コイル６が励磁された場合、鉄心３は接極子５を吸着し、接極子はヨーク４の上端の外側のエッジを中心に反時計回りに旋回される。その際接極子５は、板ばね１５によって折曲部がヨーク４の上端の外側エッジに対して圧接していると同時に、接極子の折曲部からカード取付け位置側に離間した個所１６で、接極子の反時計回り運動に抗してばね力が加わる。それ故、接極子５からカード８を介して可動接片に対する過大な押圧力が加わるのを防止することができる。
【００１２】
それと同時、コイル２への励磁電流を遮断した際、可動接片のカード８を介して加わる弾性力と、板ばね１５の接極子の折曲部からカード側に離間した個所１６で接極子に作用する弾性力とが、接極子の復旧位置への復帰力として作用し、電磁リレーの復旧速度を高くすることができ、接点の焼損が生じ難くなる。しかも落下等の大きな衝撃が加わっても、接極子は板ばね５によってその折曲部と、折曲部よりカード８の取付け側へ離れた２個所で押圧保持されているので、接極子への位置ずれ等による電磁リレーの特性変化を生じないようにすることもできる。
【００１３】
図２の実施例では図１に示す構成のほかに、板ばね５が落下等の大きな衝撃力が加わった際に、板ばね５をプラスチックケース１７の突起部１８によって支持するように構成されている。従って、衝撃等による大きな接極子の飛出し力を確実に受け止めることができ、板ばね１５の変形を防止できる。従って、接極子５からカード８を介して可動接片を押圧移動させる力を制限することができ、固定接点に可動接点による過度に大きな接触圧が加わるのを防止することができる。
【００１４】
【発明の効果】
本発明によれば、落下等の非常に大きな衝撃力により接極子に大きな揺動力が加わったときも、接極子を折曲部と、折曲部からカード取付け側へ離間した個所で板ばねにより支持しているので、板ばねの接極子の飛び出し力を制動すると共に電磁リレーの復旧速度を速くでき、アーク等による接点の損傷を少なくすることができる。
【００１５】
さらに、プラスチックケースに設けた突起部により板ばねを支えることにより、その接極子の飛び出し力を、板ばねのばね力のほかに板ばねのプラスチックケースの突起部の板ばねの支持力とにより、一層確実に受け止めることができ、可動接片への過大な力が加わるのを防止することができる。
【図面の簡単な説明】
【図１】本発明の電磁リレーのプラスチックケースを取外して、一部を切欠して示す側面略図である。
【図２】本発明の電磁リレーの別の実施例の一部を切欠して示す側面略図である。
【図３】従来の電磁リレーのプラスチックケースを取外して、一部を切欠して示す側面略図である。
【符号の説明】
１  プラスチックベース
２  コイルボビン
３  鉄心
４  Ｌ字形ヨーク
５  接極子
６  コイル
７  コイル端子
８  カード
９  可動接点
１０  可動接片
１１  固定接片
１２  固定接点
１３  可動接片端子
１４  固定接片端子
１５  板ばね
１６  当接個所
１７  プラスチックケース
１８  プラスチックケース突起部
【図１】
0004187868.tif 000002
【図２】
0004187868.tif 000003
【図３】
0004187868.tif 000004